(57)【特許請求の範囲】
【請求項１】
壁下地の屋外側に断熱材と外装材とが設置され、前記断熱材と前記外装材が壁材留具を介して前記壁下地に固定された断熱壁構造であって
前記壁材留具として、前記壁下地の最も下側に設置される前記断熱材と前記外装材の各下端を支持する複数の下留具が設置されると共に、長尺の遮蔽具が土台水切りよりも上方において略水平に設置され、
前記遮蔽具は、前記外装材と前記壁下地との間の隙間を覆う略水平の遮蔽片と、前記壁下地に固定される支持片とを備えて断面Ｌ字状に形成され、前記遮蔽片に通気用の複数の通気孔が形成され、前記遮蔽片の前端は前記外装材の屋内側の外面に当接され、
前記複数の下留具は前記遮蔽具の前記遮蔽片の上方に、この遮蔽片に沿って互いに間隔をあけて設置されていることを特徴とする断熱壁構造。
【請求項２】
前記遮蔽具の前記支持片が前記壁下地と前記断熱材との間で前記下留具よりも上方に突出し、前記支持片の前記突出した部分に前記断熱材の屋内側の外面に当接するシール材が設けられていることを特徴とする請求項１に記載の断熱壁構造。
【発明の詳細な説明】
【技術分野】
【０００１】
本発明は、建築物に対して外張り断熱工法等により構築される断熱壁構造に関する。
【背景技術】
【０００２】
外張り断熱工法は、柱や間柱等の外側（屋外側）に断熱壁（断熱層）を設ける工法である。
【０００３】
本出願人は、断熱材と外装材及び壁材留具を用いた断熱壁構造を提案している（特許文献１参照）。この断熱壁では、柱等の構造材の屋外側に透湿防水シートが設けられると共に透湿防水シートの屋外側に壁材留具によって断熱材が設置されている。透湿防水シートと断熱材との間は密閉空間（密閉層）となっている。これにより断熱作用を有する断熱壁構造が構築されている。また、断熱材と外装材との間の隙間に通気層が形成されることで、内部結露の発生が抑制されている。
【０００４】
この断熱壁構造では、壁下地の最も下側に設置される断熱材と外装材の各下端は、下留具（スタータ金具）で支持されている。下留具は断熱材及び外装材の横方向に沿って間隔をあけて複数個設置される。断熱壁構造が構築される場合、通常はまず下留具が設置され、この下留具に支持される断熱材及び外装材が設置される。この断熱材及び外装材の上端が別の壁材留具で固定される。この断熱材及び外装材の上方に更に断熱材及び外装材、並びに壁材留具が順次設置されることで、断熱壁構造が構築される。
【０００５】
このように断熱壁構造が構築される場合、下留具は断熱壁構造の構築時の起点となるため、壁下地に対する下留具の設置位置は正確に位置合わせされる必要がある。
【０００６】
しかし、壁下地に対して複数の下留具が間隔をあけて設置される場合、各下留具ごとに設置位置の位置決めが為されなければならないため、非常に煩雑な手間が生じる。また、隣り合う下留具の間では通気層の下端が開口するため、通気層に虫やネズミ等が侵入しやすいという問題もある。
【特許文献１】特開２００７−９５６９号公報
【発明の開示】
【発明が解決しようとする課題】
【０００７】
本発明は上記の点に鑑みてなされたものであり、断熱壁構造が構築されるにあたり、複数の下留具の設置位置の位置決めが容易になると共に、外装材と断熱材との間の通気層への虫やネズミ等の侵入が防止される断熱壁構造を提供することを目的とする。
【課題を解決するための手段】
【０００８】
本発明に係る断熱壁構造では、壁下地６の屋外側に断熱材７と外装材８とが設置され、前記断熱材７と前記外装材８が壁材留具１を介して前記壁下地６に固定されている。前記壁材留具１として、前記壁下地６の最も下側に設置される前記断熱材７と前記外装材８の各下端を支持する複数の下留具１ａが設置されると共に、長尺の遮蔽具２が土台水切り５０よりも上方において略水平に設置される。前記遮蔽具２は、前記外装材８と前記壁下地６との間の隙間を覆う略水平の遮蔽片３と、前記壁下地６に固定される支持片４とを備えて断面Ｌ字状に形成され、前記遮蔽片３に通気用の複数の通気孔５が形成され、前記遮蔽片３の前端は前記外装材８の屋内側の外面に当接されている。前記複数の下留具１ａは前記遮蔽具２の前記遮蔽片３の上方に、この遮蔽片３に沿って互いに間隔をあけて設置されている。
【０００９】
本発明によれば、断熱壁構造が構築される際、まず遮蔽具２の位置決めがされた後、この遮蔽具２に沿って複数の下留具１ａが配置されることで、各下留具１ａごとに位置決めをする手間が削減される。また、通気層の下側の開口が遮蔽片３によって遮蔽されることで通気層への虫やネズミ等の侵入が防止されると共に、この遮蔽片３に形成された通気孔５によって通気層の通気性が確保されて内部結露が抑制される。
【００１０】
本発明では、前記遮蔽具２の前記支持片４が前記壁下地６と前記断熱材７との間で前記下留具１ａよりも上方に突出し、前記支持片４の前記突出した部分に前記断熱材７の屋内側の外面に当接するシール材２２が設けられていることが好ましい。
【００１１】
この場合、断熱材７と壁下地６との間の空間がシール材２２によって密閉されることで、断熱材７による断熱効果が向上する。
【発明の効果】
【００１２】
本発明によれば、断熱壁構造が構築されるにあたり、複数の下留具１ａの設置位置の位置決めが容易になると共に、外装材裏面側の通気性を確保しつつ、通気層への虫やネズミ等の侵入が防止される。
【発明を実施するための最良の形態】
【００１３】
以下、本発明を実施するための最良の形態を説明する。
【００１４】
断熱壁構造は、壁下地６、外装材８、断熱材７、壁材留具１及び遮蔽具２で構築される。
【００１５】
壁下地６は、例えば柱や間柱などの建物の躯体、内側断熱材、下地板等の面材、透湿防水シート等で構成される。また、この壁下地６は既存の建築物における既存の外壁の外装材であっても良い。
【００１６】
断熱材７として、例えばウレタンフォームやフェノールフォームなどの樹脂発泡体やグラスウールやロックウールなどの繊維集合体などで形成されるボードが使用される。断熱材７の厚み及び密度は適宜設定されるが、例えば断熱材７の厚みを２５〜５０ｍｍ、密度を２０ｋｇ／ｍ3以上とすることができる。
【００１７】
外装材８は、例えば繊維補強セメント板などの窯業系建築板で略平板状に形成される。外装材８の下端には実部６３が突設され、外装材８の上端には実受け部６４が突設されている。実部６３の屋内側外面には屋内側へ突出するシーリング材６５がこの実部６３の幅方向の全長に亘って設けられている。また、外装材８の下端面には、実部６３より屋内側に、下方に開口する断面略逆Ｖ字状の溝部６１が形成されている。
【００１８】
壁材留具１は、ステンレス鋼やアルミニウムなどの金属成形品、硬質プラスチックなどのプラスチック成形品等で形成される。壁材留具１は、幅寸法が５０ｍｍ程度のピース物（断熱材７や外装材８の幅寸法に比べて幅寸法が短い短尺物）として形成される。
【００１９】
壁材留具１としては、壁下地６に対して最も下側に設置される外装材８及び断熱材７の下端のみを支持する下留具１ａと、上下に隣り合う外装材８及び断熱材７の上端及び下端を同時に支持する中留具１ｂが使用される。
【００２０】
まず、第一の実施形態について説明する。
【００２１】
図４に本実施形態で使用される下留具１ａの一例を示す。この下留具１ａは固定部９、断熱材支持片１０、スペーサ部１１、外装材保持部１２、補強片１３等を備える。断熱材支持片１０は略水平な平板状に形成されている。断熱材支持片１０の前後方向寸法は、断熱材７の幅寸法と略同一に形成される。断熱材支持片１０の後端に、固定部９が設けられている。固定部９は、断熱材支持片１０に直接接合して断熱材支持片１０の上方と下方に突出する支持部１４と、この支持部１４の上端から上方に延出された平板状の固定片１５と、この固定片１５の上端から上斜め後方に延出し更にく字状に屈曲して上方に延出する延出片１６とで構成される。支持部１４の背面には後方に突出する複数の支持突片１７が上下方向に並んで設けられている。各支持突片１７の後端面と支持片４の背面は面一に形成されている。固定片１５には、この固定片１５の幅方向の中心位置に１個の固着孔１８が形成されている。断熱材支持片１０の前端には、通気層形成手段３０であるスペーサ部１１が設けられている。スペーサ部１１は断熱材支持片１０から上方と下方にそれぞれ突出する。このスペーサ部１１の内部は中空に形成されている。このスペーサ部１１の上部の前面（屋外側面）は曲面に形成されている。このため、外装材８や断熱材７が所定の位置に差し込まれやすくなっている。外装材保持部１２はスペーサ部１１の下端部の前面側に設けられている。この外装材保持部１２は上方に向かって略倒く字状に形成される上向き保持片１９で構成される。また、スペーサ部１１の下端と固定片１５の下端との間には補強片１３が架設されている。
【００２２】
図６に中留具１ｂの一例を示す。この中留具１ｂは固定部９、断熱材支持片１０、スペーサ部１１、外装材保持部１２等を備える。断熱材支持片１０及び固定部９は、固定部９が延出片１６を具備しないことを除き、下留具１ａにおける断熱材支持片１０及び固定片１５と同様の構造を有する。断熱材支持片１０の前端には、通気層形成手段３０であるスペーサ部１１が設けられている。スペーサ部１１は断熱材支持片１０から上方と下方にそれぞれ突出する。このスペーサ部１１は、下留具１ａにおけるスペーサ部１１よりも下方への突出寸法が大きい。このスペーサ部１１の内部は中空に形成される。このスペーサ部１１の上部の前面（屋外側面）と下部の前面（屋外側面）は曲面に形成されている。このため、外装材８や断熱材７が所定の位置に差し込まれやすくなっている。外装材保持部１２は断熱材支持片１０よりも下方においてスペーサ部１１の前面側に設けられている。この外装材保持部１２は上方に向かって略倒く字状に形成される上向き保持片１９と、上向き保持片１９の下面に突設される断面略倒Ｌ字状の下向き保持片２０とで構成される。
【００２３】
上記下留具１ａと中留具１ｂにおける各スペーサ部１１の厚み（前後方向の寸法）が変更されることで、外装材８と断熱材７の間に形成される通気層８１の寸法が調整される。
【００２４】
図７（ａ）に本実施形態で使用される遮蔽具２の一例を示す。遮蔽具２はステンレス鋼やアルミニウムなどの金属成形品、硬質プラスチックなどのプラスチック成形品等で形成される。遮蔽具２は幅寸法が下留具１ａの幅寸法に比べて長い長尺物である。遮蔽具２の幅寸法は例えば９１０〜３０３０ｍｍの範囲に形成され、またこの遮蔽具２の幅寸法は例えば外装材８や断熱材７の幅寸法と一致するように形成される。
【００２５】
遮蔽具２は、遮蔽片３と、支持片４とで構成される。遮蔽片３は略水平な平板状に形成されている。遮蔽片３には複数の通気孔５が形成されている。この通気孔５は遮蔽片３の全体に亘って千鳥状に均一に分散するように形成されている。この通気孔５の寸法は適宜設定されるが、この通気孔５の直径が４〜８ｍｍの範囲であることが好ましい。また遮蔽片３の面積に対する通気孔５の総開口面積が例えば３．５〜５０％の範囲となるようにする。
【００２６】
支持片４は、遮蔽片３の後端から上方に突出するように形成される。支持片４は平板状に形成される。支持片４の上下寸法は、下留具１ａにおける固定片１５の下端から屈曲部３１の上端までの寸法と同一又はそれよりも短く形成される。この固定片１５には、複数の固着孔２１が幅方向に並んで形成されている。
【００２７】
本実施形態では、断熱壁構造は次のように構築される（図１（ａ）、図２、図３参照）。まず壁下地６の上部の表面に、角材等で形成される横方向に長い胴縁８０が取り付けられる。この胴縁８０は木ねじ等の止着具２３により、天井板（軒天井）７０の直ぐ下側に固定される。また、壁下地６の下部の表面には土台水切り５０が取り付けられる。
【００２８】
次に、壁下地６の下部の表面の、土台水切り５０よりも上方に、遮蔽具２及び下留具１ａが取り付けられる。
【００２９】
まず支持片４が壁下地６の表面に沿って水平に配置されるようにして遮蔽具２が配置され、この状態で適宜の止着具２３が固着孔２１を挿通すると共に壁下地６に打入されることで、支持片４が壁下地６に固定される。次に、固定された遮蔽具２を基準にして、複数の下留具１ａが遮蔽具２の遮蔽片３の上方に配置される。この状態で止着具２３が固着孔１８を挿通すると共に支持片４及び壁下地６に打入されることで、下留具１ａが壁下地６に取り付けられる。これにより複数の下留具１ａが所定位置に容易に固定される。この場合、例えば下留具１ａの延出片１６の下端の基部と、遮蔽具２の支持片４の上端とを基準にし、この延出片１６の基部と支持片４の上端とが位置合わせされることで、下留具１ａが容易に位置合わせされる。尚、施工の際、遮蔽具２の固着孔２１の位置が下留具１ａの固着孔１８の位置と一致するように設計されていると、下留具１ａの位置決めが更に容易になる。しかも、止着具２３が固着孔１８及び固着孔２１を挿通して壁下地６に打入されるため、止着具２３が遮蔽具２の支持片４を打ち抜くことなく容易に壁下地６に打入される。
【００３０】
また、遮蔽具２と下留具１ａとが壁下地６に同時に固定されても良い。この場合、まず遮蔽具２の支持片４が壁下地６の表面に沿って水平に配置される。この遮蔽具２を基準にして、上記の場合と同様に下留具１ａが位置合わせされて配置される。この状態で、止着具２３がこの固着孔１８に挿通すると共に支持片４及び壁下地６に打入されることで、遮蔽具２及び下留具１ａが壁下地６に取り付けられる。
【００３１】
このように下留具１ａが取り付けられることによって、複数の下留具１ａが一つの遮蔽具２の遮蔽片３の上方に、この遮蔽片３に沿って互いに間隔をあけて設置される。
【００３２】
このように遮蔽片３に沿って複数の下留具１ａが設置されるため、一つの遮蔽具２の設置位置を位置決めするだけで、複数の下留具１ａの設置位置が容易に位置決めされる。
【００３３】
次に、壁下地６の上部における胴縁８０の下方と、壁下地６の下部における土台水切り５０及び下留具１ａの上方に、この壁下地６の表面に沿って発泡樹脂系テープ等で形成される横方向に長い気密パッキン６７が取り付けられる。
【００３４】
次に、断熱材７の下端部が断熱材支持片１０の上方で固定部９とスペーサ部１１との間に差し込まれると共に断熱材７の下端面が断熱材支持片１０上に配置されることで、断熱材７の下端が下留具１ａで支持される。このとき断熱材７の屋内側外面が上記パッキン６７に密着し、断熱材７と壁下地６との間にパッキン６７の厚み分の密閉空間３３が形成される。密閉空間３３はパッキン６７により密閉性（気密性）が確保され、この密閉空間３３が形成されることにより断熱壁構造による断熱効果が向上する。
【００３５】
次に、外装材８の下端の溝部６１が下留具１ａの外装材保持部１２の上向き保持片１９に差し込まれることで、外装材８の下端が下留具１ａで支持される。これにより外装材８は断熱材７の屋外側に配置される。
【００３６】
下留具１ａによって断熱材７と外装材８の各下端部が支持された状態では、遮蔽具２の遮蔽片３の前端が外装材８の屋内側の外面に当接する。特にこの遮蔽片３の前端は外装材８の実部６３の屋外側外面でシーリング材６５に当接することで、外装材８と遮蔽片３との間の隙間が充分に塞がれることが好ましい。この遮蔽片３は壁下地６の外面と外装材８の屋内側外面との間に亘って配設され、この遮蔽片３によって壁下地６と外装材８との間の隙間が覆われる。
【００３７】
次に、下留具１ａで支持されている断熱材７と外装材８の上側に中留具１ｂが取り付けられる。この中留具１ｂの断熱材支持片１０の下方で断熱材７の上端部がスペーサ部１１と固定部９との間に挿入されると共に、外装材８の上端の実受け部６４が外装材保持部１２の下向き保持片２０で係止される。このように中留具１ｂが断熱材７及び外装材８の上端を支持する状態で、中留具１ｂの固定部９の固定片１５が止着具２３により壁下地６に固定される。この中留具１ｂは、断熱材７と外装材８の幅方向に沿った複数箇所に取り付けられる。
【００３８】
次に、中留具１ｂの上方に更に別の断熱材７が配置される。この新たな断熱材７の下端部が断熱材支持片１０の上方で固定部９とスペーサ部１１との間に差し込まれると共に断熱材７の下端面が断熱材支持片１０上に配置されることで、断熱材７の下端が中留具１ｂで支持される。この中留具１ｂの断熱材支持片１０を挟んで上下に隣接する断熱材７、３の端部間に亘って、気密テープが貼着され、この断熱材７，７間の隙間が気密テープによって閉塞される。このため、断熱材７，７による断熱作用の低下が抑制される。この気密テープとして、例えば一面側に粘着層を備える通気性のないテープ材が使用される。
【００３９】
次に、この中留具１ｂの上方に更に別の外装材８が配置される。この新たな外装材８の下端の溝部６１が中留具１ｂの外装材保持部１２の上向き保持片１９に差し込まれることで、外装材８の下端が中留具１ｂで支持される。中留具１ｂの外装材保持部１２を挟んで上下に隣接する外装材８では、上側の外装材８の下端の実部６３が、下側の外装材８の上端の実受け部６４の屋外側に重ねられる。これにより、上下に隣接する外装材８、８が接続されると共に、下側の外装材８の実受け部６４及び壁材留具１の外装材保持部１２が実部６３で被覆される。また、下側の外装材８の実受け部６４の屋外側外面は、上側の外装材８の実部６３に設けられたシーリング材６５に当接する。これにより上下に隣り合う外装材８同士の間の防水性が確保される。
【００４０】
このように中留具１ｂの取り付けと、断熱材７及び外装材８の取り付けとが繰り返されることで、所定数の中留具１ｂ、断熱材７及び外装材８とを下側から上側へ順次取り付けられる。
【００４１】
壁下地６の最も上端側に設置される外装材８と断熱材７との間及びこの外装材８と胴縁８０との間には、スペーサ６９が設置される。止着具２３が外装材８の屋外側外面からスペーサ６９を貫通して胴縁８０に螺入されることで、外装材８の上端部が固定される。断熱材７と胴縁８０と各屋外側外面に亘って気密テープ６６が貼着されることで、断熱材７と胴縁８０との隙間が塞がれる。外装材８と天井板７０の間には見切り縁７１が取り付けられる。
【００４２】
このようにして本実施形態に係る断熱壁構造が構築される。
【００４３】
次に、第二の実施形態について説明する。
【００４４】
図５に本実施形態で使用される下留具１ａの一例を示す。この下留具１ａには延出片１６が設けられていない。他の構成は、第一の実施形態で使用される下留具１ａと同一である。
【００４５】
図７（ｂ）に本実施形態で使用される遮蔽具２の一例を示す。この遮蔽具２は、支持片４の上下寸法が下留具１ａの上下寸法よりも大きくなるように形成される。支持片４の上部前面には、支持片４の幅方向の全長に亘り、シール材２２が前方に突出するように設けられている。シール材２２は弾性及び防水性を有する適宜の材質で形成されることが好ましく、例えば発泡樹脂系テープ等が支持片４に貼着されることで形成される。他の構成は、第一の実施形態で使用される遮蔽具２と同一である。
【００４６】
中止具１ｂとしては、第一の実施形態の場合と同一のものが使用される。
【００４７】
本実施形態では、断熱壁構造は次のように構築される（図１（ｂ）、図２、図３参照）。まず壁下地６に、第一の実施形態の場合と同様に、胴縁８０及び土台水切り５０が取り付けられる。
【００４８】
次に、壁下地６の下部の表面の、土台水切り５０よりも上方に、遮蔽具２及び下留具１ａが取り付けられる。
【００４９】
まず支持片４が壁下地６の表面に沿って水平に配置されるようにして遮蔽具２が配置され、この状態で適宜の止着具２３が固着孔２１を挿通すると共に壁下地６に打入されることで、支持片４が壁下地６に固定される。次に、固定された遮蔽具２を基準にして、複数の下留具１ａが遮蔽具２の遮蔽片３の上方に配置される。この状態で止着具２３が固着孔１８を挿通すると共に支持片４及び壁下地６に打入されることで、下留具１ａが壁下地６に取り付けられる。これにより複数の下留具１ａが所定位置に容易に固定される。この場合、例えば下留具１ａの固定片１５の上端と、遮蔽具２の支持片４に設けられたシール材２２の下端とを基準にし、この固定片１５の上端とシール材２２の下端とが位置合わせされることで、下留具１ａが容易に位置合わせされる。
【００５０】
また、遮蔽具２と下留具１ａとが壁下地６に同時に固定されても良い。この場合、まず遮蔽具２の支持片４が壁下地６の表面に沿って水平に配置される。この遮蔽具２を基準にして、上記の場合と同様に下留具１ａが位置合わせされて配置される。この状態で、止着具２３がこの固着孔１８に挿通すると共に支持片４及び壁下地６に打入されることで、遮蔽具２及び下留具１ａが壁下地６に取り付けられる。尚、施工の際、遮蔽具２の固着孔２１の位置が下留具１ａの固着孔１８の位置と一致するように設計されていると、下留具１ａの位置決めが更に容易になる。しかも、止着具２３が固着孔１８及び固着孔２１を挿通して壁下地６に打入されるため、止着具２３が遮蔽具２の支持片４を打ち抜くことなく容易に壁下地６に打入される。
【００５１】
このように下留具１ａが取り付けられることによって、一つの遮蔽片３に対して複数の下留具１ａが取り付けられる。これにより、複数の下留具１ａが一つの遮蔽具２の遮蔽片３の上方に、この遮蔽片３に沿って互いに間隔をあけて設置される。
【００５２】
このように遮蔽片３に沿って複数の下留具１ａが設置されるため、一つの遮蔽具２の設置位置を位置決めするだけで、複数の下留具１ａの設置位置が容易に位置決めされる。
【００５３】
また、遮蔽具２の支持片４は下留具１ａよりも上方に突出し、この支持片４に設けられたシール材２２が下留具１ａの上方に配置される。
【００５４】
次に、壁下地６の上部における胴縁８０の下方に、この壁下地６の表面に沿って発泡樹脂系テープ等で形成される横方向に長い気密パッキン６７が取り付けられる。
【００５５】
次に、第一の実施形態の場合と同様に断熱材７の下端が下留具１ａで支持される。このとき断熱材７の屋内側外面が遮蔽具２の支持片４に設けられたシール材２２に密着し、断熱材７と壁下地６との間にシール材２２の厚み分の密閉空間３３が形成される。このため、別途壁下地６に気密パッキンが設けられることなく、密閉空間３３は遮蔽具２のシール材２２により密閉性（気密性）が確保され、この密閉空間３３が形成されることにより断熱壁構造による断熱効果が向上する。
【００５６】
次に、外装材８の下端の溝部６１が下留具１ａの外装材保持部１２の上向き保持片１９に差し込まれることで、外装材８の下端が下留具１ａで支持される。これにより外装材８は断熱材７の屋外側に配置される。
【００５７】
以後は、第一の実施形態の場合と同様にして、第二の実施形態に係る断熱壁構造が構築される。
【００５８】
上記各実施形態に係る断熱壁構造では、外装材８と断熱材７の間には通気層形成手段３０の厚み寸法分の通気層８１が形成され、この通気層８１により外装材８の裏面側（屋内側）の結露が防止される。
【００５９】
また、この断熱壁構造の下端部では、遮蔽片３によって壁下地６と外装材８との間の隙間が覆われるため、通気層８１への虫やネズミ等の侵入が防止される。また、この遮蔽片３に通気孔５が形成されていることから、この通気孔５を通じて通気層８１の通気性が確保される。
【００６０】
尚、本実施形態では、複数の断熱材７、７…及び外装材８、８…が横方向にも隣接させて設置される。横方向に隣接する断熱材７、７の側端部の外面間に亘って気密テープが貼着されることにより、この断熱材７、７間の隙間が塞がれ、断熱性の低下が抑制される。また、横方向に隣接する外装材８、８の間にバックアップ材とシーリングからなる防水材が充填されることで、この外装材８、８間の防水性が確保される。
【図面の簡単な説明】
【００６１】
【図１】本発明に係る断熱壁構造の一例を示すものであり、（ａ）は第一の実施形態における断熱壁構造の下端部分を示す断面図、（ｂ）は第二の実施形態における断熱壁構造の下端部分を示す断面図である。
【図２】同上の断熱壁構造の中間部分を示す断面図である。
【図３】同上の断熱壁構造の上端部分を示す断面図である。
【図４】第一の実施形態で使用される下留具の一例を示すものであり、（ａ）は側面図、（ｂ）は正面図である。
【図５】第二の実施形態で使用される下留具の一例を示すものであり、（ａ）は側面図、（ｂ）は正面図である。
【図６】本発明で使用される中留具の一例を示す側面図である。
【図７】（ａ）は第一の実施形態で使用される遮蔽片の一例を示す斜視図、（ｂ）は第二の実施形態で使用される遮蔽片の一例を示す斜視図である。
【符号の説明】
【００６２】
１    壁材留具
１ａ  下留具
２    遮蔽具
３    遮蔽片
４    支持片
５    通気孔
６    壁下地
７    断熱材
８    外装材
２２  シール材
５０  土台水切り
【図１】
0005204542.tif 000002
【図２】
0005204542.tif 000003
【図３】
0005204542.tif 000004
【図４】
0005204542.tif 000005
【図５】
0005204542.tif 000006
【図６】
0005204542.tif 000007
【図７】
0005204542.tif 000008